【手続補正書】
【提出日】平成20年7月18日(2008.7.18)
【手続補正１】
【補正対象書類名】特許請求の範囲
【補正対象項目名】全文
【補正方法】変更
【補正の内容】
【特許請求の範囲】
【請求項１】
ステータ部および該ステータ部から延びた回転軸を備えたモータ本体と、
底板部、該底板部から起立して前記ステータ部において前記回転軸が延びている側の端面が固着されたステータ支持板部、および該ステータ支持板部に対向するように前記底板部から起立して前記回転軸の先端を支持する回転軸支持板部を備えたモータフレームとを有するモータ装置において、
前記ステータ支持板部には、前記回転軸支持板部において前記回転軸の先端を支持する位置と対向する位置で前記回転軸が挿通する回転軸挿通穴と、当該ステータ支持板部の外周縁から前記回転軸挿通穴に到るスリットとが形成されていることを特徴とするモータ装置。
【請求項２】
請求項１において、
前記スリットの幅は、前記回転軸挿通穴の内径寸法より狭いことを特徴とするモータ装置。
【請求項３】
請求項１または２において、
前記回転軸支持板部には、前記回転軸挿通穴と対向する位置に丸穴が形成され、
当該丸穴にピボット軸受が装着されていることを特徴とするモータ装置。
【請求項４】
請求項１乃至３の何れか一項において、
前記ステータ部には前記回転軸の基端部をスラスト方向に付勢するスラスト加重バネが配置されていることを特徴とするモータ装置。
【請求項５】
請求項１乃至４の何れか一項において、
前記モータ本体は、前記回転軸が延びている側に突出して前記回転軸挿通穴に嵌る第１の位置決め突起を備え、
当該第１の位置決め突起が前記回転軸挿入穴に嵌ることにより、前記モータ本体の芯出しが行なわれていることを特徴とするモータ装置。
【請求項６】
請求項５において、
前記第１の位置決め突起は、外径寸法が前記前記回転軸挿通穴の内径寸法と略等しい円筒部であることを特徴とするモータ装置。
【請求項７】
請求項１乃至４の何れか一項において、
前記ステータ部は、前記回転軸が延びている側に突出して前記回転軸挿通穴に嵌る第１の位置決め突起を備えていることを特徴とするモータ装置。
【請求項８】
請求項１乃至７の何れか一項において、
前記ステータ部は、前記回転軸が延びている側に突出して前記スリットに嵌る第２の位置決め突起を備えていることを特徴とするモータ装置。
【請求項９】
請求項５乃至８の何れか一項において、
前記ステータ部は、前記回転軸が延びている側でステータコアに固着された取り付け板を備え、
前記第１の位置決め突起は、当該取り付け板に形成されていることを特徴とするモータ装置。
【請求項１０】
請求項５乃至７の何れか一項において、
前記ステータ部は、前記回転軸が延びている側でステータコアに固着された取り付け板を備え、
前記第１位置決め突起は、前記取り付け板に対するバーリング加工により円筒状に突出していることを特徴とするモータ装置。
【請求項１１】
請求項８において、
前記ステータ部は、前記回転軸が延びている側でステータコアに固着された取り付け板を備え、
前記第２位置決め突起は、前記取り付け板の上端部分が前記回転軸が延びている側に折り曲がっている部分であることを特徴とするモータ装置。
【請求項１２】
請求項１乃至１１の何れか一項において、
前記回転軸の基端側にはロータマグネットが固着され、
前記ステータ部は、前記ロータマグネットの周りを囲む環状のステータを備え、
前記回転軸は、少なくとも一部の外径寸法が前記回転軸挿通穴の内径寸法および前記ステータの内径寸法のうちの少なくとも一方より大きいことを特徴とするモータ装置。
【請求項１３】
請求項１乃至１１の何れか一項において、
前記回転軸は、少なくとも一部の外径寸法が前記回転軸挿通穴の内径寸法より大きいことを特徴とするモータ装置。
【請求項１４】
請求項１乃至１１の何れか一項において、
前記回転軸の基端側にはロータマグネットが固着され、
前記ステータ部は、前記ロータマグネットの周りを囲む環状のステータを備え、
前記回転軸は、少なくとも一部の外径寸法が前記ステータの内径寸法のうちの少なくとも一方より大きいことを特徴とするモータ装置。
【請求項１５】
ステータ部および該ステータ部から延びた回転軸を備えたモータ本体と、底板部、該底板部から起立して前記ステータ部において前記回転軸が延びている側の端面が固着されたステータ支持板部、および該ステータ支持板部に対向するように前記底板部から起立して前記回転軸の先端を支持する回転軸支持板部を備えたモータフレームとを有するモータ装置の製造方法において、
前記ステータ支持板部には、前記回転軸支持板部において前記回転軸の先端を支持する位置と対向する位置で前記回転軸を挿通させる回転軸挿通穴と、当該ステータ支持板部の外周縁から前記回転軸挿通穴に到るスリットとを形成しておき、
前記モータ本体を前記モータフレームに搭載する際、前記スリットを経由して前記回転軸を前記回転軸挿通穴の内側に通すことを特徴とするモータ装置の製造方法。
【手続補正２】
【補正対象書類名】明細書
【補正対象項目名】０００６
【補正方法】変更
【補正の内容】
【０００６】
上記課題を解決するために、本発明では、ステータ部および該ステータ部から延びた回転軸を備えたモータ本体と、底板部、該底板部から起立して前記ステータ部において前記回転軸が延びている側の端面が固着されたステータ支持板部、および該ステータ支持板部に対向するように前記底板部から起立して前記回転軸の先端を支持する回転軸支持板部を備えたモータフレームとを有するモータ装置において、前記ステータ支持板部には、前記回転軸支持板部において前記回転軸の先端を支持する位置と対向する位置で前記回転軸が挿通する回転軸挿通穴と、当該ステータ支持板部の外周縁から前記回転軸挿通穴に到るスリットとが形成されていることを特徴とする。
【手続補正３】
【補正対象書類名】明細書
【補正対象項目名】０００７
【補正方法】変更
【補正の内容】
【０００７】
本発明では、ステータ部および該ステータ部から延びた回転軸を備えたモータ本体と、底板部、該底板部から起立して前記ステータ部において前記回転軸が延びている側の端面が固着されたステータ支持板部、および該ステータ支持板部に対向するように前記底板部から起立して前記回転軸の先端を支持する回転軸支持板部を備えたモータフレームとを有するモータ装置の製造方法において、前記ステータ支持板部には、前記回転軸支持板部において前記回転軸の先端を支持する位置と対向する位置で前記回転軸を挿通させる回転軸挿通穴と、当該ステータ支持板部の外周縁から前記回転軸挿通穴に到るスリットとを形成しておき、前記モータ本体を前記モータフレームに搭載する際、前記スリットを経由して前記回転軸を前記回転軸挿通穴の内側に通すことを特徴とする。
【手続補正４】
【補正対象書類名】明細書
【補正対象項目名】０００９
【補正方法】変更
【補正の内容】
【０００９】
本発明において、前記スリットの幅は、前記回転軸挿通穴の内径寸法より狭い構成を採用することができる。本発明において、前記回転軸支持板部には、前記回転軸挿通穴と対向する位置に丸穴が形成され、当該丸穴にピボット軸受が装着されている構成を採用することができる。本発明において、前記ステータ部には前記回転軸の基端部をスラスト方向に付勢するスラスト加重バネが配置されている構成を採用することができる。
【手続補正５】
【補正対象書類名】明細書
【補正対象項目名】００１０
【補正方法】変更
【補正の内容】
【００１０】
本発明において、前記モータ本体は、前記回転軸が延びている側に突出して前記回転軸挿通穴に嵌る第１の位置決め突起を備え、当該第１の位置決め突起が前記回転軸挿入穴に嵌ることにより、前記モータ本体の芯出しが行なわれていることが好ましい。本発明においては、前記第１の位置決め突起は、外径寸法が前記前記回転軸挿通穴の内径寸法と略等しい円筒部であることが好ましい。このように構成すると、ステータ部の端面をステータ支持板部に固着するだけで、ステータ部の中心、すなわち、回転軸の中心軸線の位置を、回転軸支持板部において回転軸を支持する部分に合わせることができる。また、別部品を用いて、このような芯出しを行う必要がないので、部品点数を削減できる。本発明において、前記ステータ部は、前記回転軸が延びている側に突出して前記回転軸挿通穴に嵌る第１の位置決め突起を備えていることが好ましい。本発明において、前記ステータ部は、前記回転軸が延びている側に突出して前記スリットに嵌る第２の位置決め突起を備えていることが好ましい。このように構成すると、ステータ部の端面をステータ支持板部に固着するだけで、ステータ部および回転軸の軸線周りの位置出しを行うことができる。また、別部品を用いて、このような位置決めを行う必要がないので、部品点数を削減できる。
【手続補正６】
【補正対象書類名】明細書
【補正対象項目名】００１１
【補正方法】変更
【補正の内容】
【００１１】
本発明において、前記ステータ部は、前記回転軸が延びている側でステータコアに固着された取り付け板を備えている場合、前記第１の位置決め突起は、当該取り付け板に形成されていることが好ましい。また、本発明において、前記ステータ部は、前記回転軸が延びている側でステータコアに固着された取り付け板を備えている場合、前記第１位置決め突起は、前記取り付け板に対するバーリング加工により円筒状に突出している構成を採用することができる。本発明において、前記ステータ部は、前記回転軸が延びている側でステータコアに固着された取り付け板を備えている場合、前記第２位置決め突起は、前記取り付け板の上端部分が前記回転軸が延びている側に折り曲がっている部分であることが好ましい。
【手続補正７】
【補正対象書類名】明細書
【補正対象項目名】００１２
【補正方法】変更
【補正の内容】
【００１２】
本発明は、前記回転軸の基端側にはロータマグネットが固着され、前記ステータ部は、前記ロータマグネットの周りを囲む環状のステータを備え、前記回転軸の少なくとも一部の外径寸法が前記回転軸挿通穴の内径寸法および前記ステータの内径寸法のうちの少なくとも一方より大きい場合に適用すると効果的である。すなわち、本発明は、前記回転軸は、少なくとも一部の外径寸法が前記回転軸挿通穴の内径寸法より大きい場合や、前記回転軸の少なくとも一部の外径寸法が前記ステータの内径寸法のうちの少なくとも一方より大きい場合に適用すると効果的である。すなわち、回転軸が回転軸挿通穴の内径寸法よりも大きい場合には、回転軸を回転軸挿通穴に通すことができない一方、回転軸がステータの内径寸法よりも大きい場合には、回転軸をステータ部の基端側から通すことができないが、本発明では、モータ装置を組み立てる際、スリットを介して回転軸を回転軸挿通穴に通せばよいので、回転軸に外径寸法の大きな部分があっても、モータ装置を容易にかつ効率よく組み立てることができる。